(57)【要約】【課題】温度センサの誤装着による異常運転を防止できる空気調和機を提供する。【解決手段】圧縮機１２と室外熱交換器１６と膨張弁１４とを有した室外機１０と、室内熱交換器３３を有した室内機３０とを備え、冷媒の温度を検知する第１温度センサ２０ｆ及び第２温度センサ２０ｅを含む温度センサ群２０が設けられるとともに、温度センサ群２０の検知結果に基づいて圧縮機１２及び膨張弁１４を制御する空気調和機１において、第１温度センサ２０ｆが室内熱交換器３３の経路中間に配されるとともに、第２温度センサ２０ｅが室内熱交換器３３の膨張弁１４側に配され、圧縮機１２を駆動して温度センサ群２０の誤装着を判定する判定モードを設け、判定モード時に暖房運転を行って圧縮機１２の駆動開始から所定の第１時間経過後に第１温度センサ２０ｆの検知温度が第２温度センサ２０ｅの検知温度よりも低いときに温度センサ群２０の誤装着と判定する。【選択図】図４
2018096640.tif 000002
【特許請求の範囲】
【請求項１】
圧縮機と室外熱交換器と膨張弁とを有した室外機と、室内熱交換器を有した室内機とを備え、冷媒の温度を検知する第１温度センサ及び第２温度センサを含む温度センサ群が設けられるとともに、前記温度センサ群の検知結果に基づいて前記圧縮機及び前記膨張弁を制御する空気調和機において、前記第１温度センサが前記室内熱交換器の経路中間に配されるとともに、前記第２温度センサが前記室内熱交換器の前記膨張弁側に配され、
前記圧縮機を駆動して前記温度センサ群の誤装着を判定する判定モードを設け、前記判定モード時に暖房運転を行って前記圧縮機の駆動開始から所定の第１時間経過後に前記第１温度センサの検知温度が前記第２温度センサの検知温度よりも低いときに前記温度センサ群の誤装着と判定することを特徴とする空気調和機。
【請求項２】
前記温度センサ群が前記圧縮機の吐出側に配された第３温度センサと、前記室外機の前記膨張弁側に配された第４温度センサとを有し、
前記判定モードは前記圧縮機の駆動開始から所定の第２時間経過時に前記第３温度センサの検知温度が前記第４温度センサの検知温度よりも低いときに前記温度センサ群の誤装着と判定することを特徴とする請求項１に記載の空気調和機。
【請求項３】
前記温度センサ群が前記膨張弁の前記室内熱交換器側に配した前記第５温度センサと、前記圧縮機の吸込み側に配した第６温度センサとを有し、
前記判定モードは前記第２時間経過時に前記第３温度センサの検知温度が前記第５温度センサ又は前記第６温度センサの検知温度よりも低いときに前記温度センサ群の誤装着と判定することを特徴とする請求項２に記載の空気調和機。
【請求項４】
前記判定モードは前記第４温度センサ、前記第５温度センサ、前記第６温度センサのいずれかの検知温度が所定温度よりも高温の場合に、前記温度センサ群の誤装着と判定することを特徴とする請求項３に記載の空気調和機。
【請求項５】
前記判定モードは前記第３温度センサの検知温度が前記所定温度よりも高温の場合に、前記所定温度を検知してから所定の第３時間経過時に前記第３温度センサの検知温度が再び前記所定温度よりも高温であるときに前記温度センサ群の誤装着と判定することを特徴とする請求項４に記載の空気調和機。
【請求項６】
前記判定モードにより前記温度センサ群の誤装着と判定された場合において、前記第１温度センサの検知温度と前記第２温度センサの検知温度とを入れ替えて制御を行うことを特徴とする請求項１に記載の空気調和機。
【請求項７】
前記判定モードにより前記温度センサ群の誤装着と判定された場合において、次回通電時に前記判定モードを実行することを特徴とする請求項１〜請求項５のいずれかに記載の空気調和機。
【発明の詳細な説明】
【技術分野】
【０００１】
本発明は、室内機及び室外機を備える空気調和機に関する。
【背景技術】
【０００２】
従来の空気調和機は特許文献１に開示されている。この空気調和機は室内に配される室内機と室外に配される室外機とを備えている。室外機には圧縮機、室外熱交換器及び膨張弁が配され、室内機には室内熱交換器が配される。
【０００３】
また、冷媒の温度を検知する複数の温度センサが設けられ、室内機には室内熱交換器の経路中間には第１温度センサが配されている。また、室内熱交換器の膨張弁側には第２温度センサが配されている。空気調和機は第１、第２温度センサの検知温度に基づいて圧縮機の回転数及び膨張弁の開度を制御して冷媒を流通させて運転する。
【先行技術文献】
【特許文献】
【０００４】
【特許文献１】特開２０１５−１１１０２０号公報
【発明の概要】
【発明が解決しようとする課題】
【０００５】
しかしながら、上記従来の空気調和機によると、室内機の組み立て工程において第１温度センサと第２温度センサとを誤装着することがある。この場合、第１温度センサ及び第２温度センサの検知温度に基づいて冷凍サイクルを運転すると、空気調和機の運転を正常に行うことができない問題があった。
【０００６】
本発明は、温度センサの誤装着による異常運転を防止できる空気調和機を提供することを目的とする。
【課題を解決するための手段】
【０００７】
上記目的を達成するために本発明は、圧縮機と室外熱交換器と膨張弁とを有した室外機と、室内熱交換器を有した室内機とを備え、冷媒の温度を検知する第１温度センサ及び第２温度センサを含む温度センサ群が設けられるとともに、前記温度センサ群の検知結果に基づいて前記圧縮機及び前記膨張弁を制御する空気調和機において、前記第１温度センサが前記室内熱交換器の経路中間に配されるとともに、前記第２温度センサが前記室内熱交換器の前記膨張弁側に配され、
前記圧縮機を駆動して前記温度センサ群の誤装着を判定する判定モードを設け、前記判定モード時に暖房運転を行って前記圧縮機の駆動開始から所定の第１時間経過後に前記第１温度センサの検知温度が前記第２温度センサの検知温度よりも低いときに前記温度センサ群の誤装着と判定することを特徴としている。
【０００８】
また、本発明の空気調和機は、上記構成において、前記温度センサ群が前記圧縮機の吐出側に配された第３温度センサと、前記室外機の前記膨張弁側に配された第４温度センサとを有し、
前記判定モードは前記圧縮機の駆動開始から所定の第２時間経過時に前記第３温度センサの検知温度が前記第４温度センサの検知温度よりも低いときに前記温度センサ群の誤装着と判定することが好ましい。
【０００９】
また、本発明の空気調和機は、上記構成において、前記温度センサ群が前記膨張弁の前記室内熱交換器側に配した前記第５温度センサと、前記圧縮機の吸込み側に配した第６温度センサとを有し、
前記判定モードは前記第２時間経過時に前記第３温度センサの検知温度が前記第５温度センサ又は前記第６温度センサの検知温度よりも低いときに前記温度センサ群の誤装着と判定することが好ましい。
【００１０】
また、本発明の空気調和機は、上記構成において、前記判定モードは前記第４温度センサ、前記第５温度センサ、前記第６温度センサのいずれかの検知温度が所定温度よりも高温の場合に、前記温度センサ群の誤装着と判定することが好ましい。
【００１１】
また、本発明の空気調和機は、上記構成において、前記判定モードは前記第３温度センサの検知温度が前記所定温度よりも高温の場合に、前記所定温度を検知してから所定の第３時間経過時に前記第３温度センサの検知温度が再び前記所定温度よりも高温であるときに前記温度センサ群の誤装着と判定することが好ましい。
【００１２】
また、本発明の空気調和機は、上記構成において、前記判定モードにより前記温度センサ群の誤装着と判定された場合において、圧縮機の駆動を停止することが好ましい。
【００１３】
また、本発明の空気調和機は、上記構成において、前記判定モードにより前記温度センサ群の誤装着と判定された場合において、前記第１温度センサの検知温度と前記第２温度センサの検知温度とを入れ替えて制御を行うことが好ましい。
【００１４】
また、本発明の空気調和機は、上記構成において、前記判定モードにより前記温度センサ群の誤装着と判定された場合において、次回通電時に前記判定モードを実行することが好ましい。
【００１５】
また、本発明の空気調和機は、上記構成において、前記判定モードは電源投入後に暖房運転及び冷房運転の操作とは異なる操作により実行されることが好ましい。
【発明の効果】
【００１６】
本発明によると、判定モードの判定結果に基づいて温度センサ群の誤装着の修正または誤装着に基づく制御を行い、空気調和機の異常運転を防止することができる。
【図面の簡単な説明】
【００１７】
【図１】本発明の第１実施形態の空気調和機の冷房運転時の冷凍サイクルを示す回路図。
【図２】本発明の第１実施形態の空気調和機の暖房運転時の冷凍サイクルを示す回路図。
【図３】本発明の第１実施形態の空気調和機の構成を示すブロック図。
【図４】本発明の第１実施形態の空気調和機の動作制御を示すフローチャート。
【図５】本発明の第２実施形態の空気調和機の動作制御を示すフローチャート。
【図６】本発明の第２実施形態の空気調和機の暖房運転時の温度センサの検知温度と圧縮機の駆動時間との関係を示すグラフ。
【図７】本発明の第３実施形態の空気調和機の動作制御を示すフローチャート。
【発明を実施するための形態】
【００１８】
＜第１実施形態＞
以下に図面を参照して本発明の実施形態を説明する。図１、図２は第１実施形態の空気調和機１の冷凍サイクルを示す回路図であり、図１は冷房運転時、図２は暖房運転時の状態を示している。空気調和機１は室外に配される室外機１０と室内に配される室内機３０とを有している。
【００１９】
室外機１０は圧縮機１２、四方弁１３、膨張弁１４、室外ファン１５、室外熱交換器１６を備える。室内機３０は室内熱交換器３３及び室内ファン３２を備える。圧縮機１２、四方弁１３、室外熱交換器１６、膨張弁１４及び室内熱交換器３３は冷媒管１９により接続されて冷媒回路が形成されている。
【００２０】
膨張弁１４と室内熱交換器３３とを接続する冷媒管１９には二方弁２１が介装されている。また、四方弁１３と室内熱交換器３３とを接続する冷媒管１９には三方弁２２が介装されている。
【００２１】
また、冷媒管１９には複数の温度センサ２０ａ〜２０ｇから成る温度センサ群２０（図３参照）が設けられる。温度センサ２０ａ〜２０ｇは冷媒管１９を流通する冷媒の温度を検知する。
【００２２】
具体的には、温度センサ２０ａ（第３温度センサ）は圧縮機１２の吐出側に配されて圧縮機１２から吐出される冷媒の吐出温度を検知する。温度センサ２０ｂは室外熱交換器１６の経路中間に配されて室外熱交換器１６の温度を検知する。より具体的には、温度センサ２０ｂは室外熱交換器１６の経路を構成する冷媒管１９の入口と出口との中間位置に配されて冷媒管温度（冷媒温度）を検知する。温度センサ２０ｃ（第４温度センサ）は室外熱交換器１６の膨張弁１４側に配されている。温度センサ２０ｃは冷房運転時に室外熱交換器１６から流出する冷媒の温度を検知し、暖房運転時に室外熱交換器１６へ流入する冷媒の温度を検知する。
【００２３】
温度センサ２０ｄ（第５温度センサ）は室外熱交換器１６と二方弁２１との間に配され二方弁２１を流通する冷媒の温度を検知する。温度センサ２０ｇ（第６温度センサ）は圧縮機１２の吸込み側に配されて圧縮機１２に吸い込まれる冷媒の吸込温度（サクション温度）を検知する。
【００２４】
温度センサ２０ｅ（第２温度センサ）は室内熱交換器３３の膨張弁１４側に配されている。温度センサ２０ｅは冷房運転時に室内熱交換器３３へ流入する冷媒の温度を検知し、暖房運転時に室内熱交換器３３から流出する冷媒の温度を検知する。温度センサ２０ｆ（第１温度センサ）は室内熱交換器３３の経路中間に配されて室内熱交換器３３の温度を検知する。より具体的には、温度センサ２０ｆは室内熱交換器３３の経路を構成する冷媒管１９の入口と出口との中間位置に配されて冷媒管温度（冷媒温度）を検知する。
【００２５】
室外ファン１５は室外熱交換器１６に対向配置される。室外ファン１５の駆動によって室外の空気が室外熱交換器１６に供給され、室外熱交換器１６と室外の空気との熱交換が促進される。
【００２６】
室内ファン３２及び室内熱交換器３３は室内機３０に設けた送風通路（不図示）内に配される。室内ファン３２の駆動によって室内の空気が送風通路に流入して室内熱交換器３３に供給され、送風通路を流通する空気と室内熱交換器３３とが熱交換される。
【００２７】
圧縮機１２が駆動されると、冷媒が冷媒回路を循環する。膨張弁１４は開度が調整され、循環する冷媒を減圧して冷媒量を調整する。冷媒が冷媒回路を循環することにより、冷凍サイクルが形成される。
【００２８】
冷房運転時の冷凍サイクルでは、圧縮機１２の駆動によって圧縮機１２、四方弁１３、室外熱交換器１６、膨張弁１４、室内熱交換器３３の順に冷媒が循環する。この時、室外熱交換器１６が凝縮器として機能し、室内熱交換器３３が蒸発器として機能する。
【００２９】
暖房運転時の冷凍サイクルでは、四方弁１３が切り替えられ、圧縮機１２の駆動によって圧縮機１２、四方弁１３、室内熱交換器３３、膨張弁１４、室外熱交換器１６の順に冷媒が循環する。この時、室内熱交換器３３が凝縮器として機能し、室外熱交換器１６が蒸発器として機能する。
【００３０】
図３は空気調和機１の構成を示すブロック図である。制御部４０は制御基板（不図示）を有し、圧縮機１２、四方弁１３、膨張弁１４、室外ファン１５、室内ファン３２、温度センサ２０ａ〜２０ｇ、受信部４１、記憶部４２が接続されている。
【００３１】
受信部４１はリモコン（不図示）の操作により赤外線等を介して運転モード等の各種設定や動作指令を受信して制御部４０に指示する。
【００３２】
制御部４０は記憶部４２にあらかじめ格納されている動作プログラムを読み出して実行する。具体的には、運転モードに応じて、各温度センサ２０ａ〜２０ｇの検知温度に基づいて圧縮機１２の回転数（運転周波数）、膨張弁１４の開度、室外ファン１５の回転数、室内ファン３２の回転数をそれぞれ制御する。
【００３３】
また、空気調和機１は効率のよい冷凍サイクルを実現するために、冷媒回路を循環する冷媒量に応じた目標吸込過熱度又は目標吐出過熱度となるように温度センサから検知される吸込過熱度又は吐出過熱度に応じて膨張弁１４の開度を制御する。
【００３４】
吸込過熱度は圧縮機１２に吸入する冷媒の吸入温度と蒸発器の蒸発温度との差から導出される。つまり、暖房運転時には、温度センサ２０ｇの検知温度と温度センサ２０ｂの検知温度との差により吸込過熱度が導出される。また、冷房運転時には、温度センサ２０ｇの検知温度と温度センサ２０ｆの検知温度との差により吸込過熱度が導出される。
【００３５】
吐出過熱度は圧縮機１２から吐出される冷媒の吐出温度と凝縮器の凝縮温度との差から導出される。つまり、暖房運転時には、温度センサ２０ａの検知温度と温度センサ２０ｆの検知温度との差により吐出過熱度が導出される。また、冷房運転時には、温度センサ２０ａの検知温度と温度センサ２０ｂの検知温度との差により吐出過熱度が導出される。
【００３６】
なお、目標吸込過熱度及び目標吐出過熱度は予め実験的に求められ、記憶部４２に圧縮機１２の回転数毎に記憶される。制御部４０は決められた圧縮機１２の回転数に応じた目標吸込過熱度及び目標吐出過熱度を記憶部４２から読み出す。
【００３７】
記憶部４２は空気調和機１の冷房運転、暖房運転、除湿運転などの空調運転モードを実行するための空調運転プログラム及び判定モードを実行するための判定モードプログラムを記憶する。また、記憶部４２には空気調和機１が空調運転モード、判定モードのいずれかに設定されているかの情報がフラッシュＥＥＰＲＯＭなどの不揮発性の記憶装置に記憶されている。
【００３８】
判定モードは室内機３０の温度センサ２０ｅと温度センサ２０ｆの誤装着を判定するモードである。具体的には判定モードが実行されると圧縮機１２を駆動して暖房運転が開始される。また、圧縮機１２の駆動開始から所定の第１時間経過後に温度センサ２０ｆの検知温度が温度センサ２０ｅの検知温度よりも低いときに温度センサ２０ｅと温度センサ２０ｆとが取り違えて誤装着されていると判定する。
【００３９】
また、本実施形態では空気調和機１に通電後から判定モードに移行する。これにより、空気調和機１の設置業者が空気調和機１のコンセントを差し込んで最初に通電させた後、温度センサ２０ｆと温度センサ２０ｅとの誤装着が判定されて誤装着が補正される。これにより、ユーザは空気調和機１の電源投入後に通常の空調運転を実行することができる。
【００４０】
図４は空気調和機１の動作制御を示すフローチャートである。商用電源から電力供給が開始されると記憶部４２に記憶された判定モードプログラムが実行されて以下の動作が行われる。
【００４１】
ステップ♯１１では空気調和機１の通電時に記憶部４２に記憶されているフラグＦの値を読み出し、フラグＦに０が記憶されているか否かによって判定モードの実行を立ち上げるか否かが判断される。なお、工場出荷時の空気調和機１はフラグＦに０が記憶され、判定モードにより温度センサ群２０が正常と判断された場合にフラグＦに１が代入される。
【００４２】
フラグＦが０でない（フラグＦが１の）場合は判定モードプログラムを終了して通常の空調運転モードプログラムが実行されるのを待機する。フラグＦに０が記憶されている場合はステップ♯１２に移行して圧縮機１２の駆動を開始して暖房運転を開始する。また、タイマーがスタートし、圧縮機１２は一定（固定）の回転数（例えば２５００ｒｐｍ）で駆動する。つまり、圧縮機１２は回転数の可変制御が行われない。
【００４３】
ステップ♯１３ではタイマーの計時により圧縮機１２の駆動開始から所定の第１時間（例えば、３分間）が経過するまで待機する。第１時間が経過すると、ステップ♯１４に移行する。なお、第１時間は、圧縮機１２の駆動開始から冷媒回路に冷媒が行き渡って冷媒回路の動作（膨張弁１４の動作）が安定するマスク時間よりも長い時間に設定される。
【００４４】
暖房運転時に圧縮機１２から吐出された高温高圧の気体の冷媒は室内熱交換器３３に入り、凝縮して液体と蒸気が混じって流通する。このため、室内熱交換器３３の経路中間の凝縮温度は一定となる。また、室内熱交換器３３から外部に流出した冷媒は全て高圧の液体となって冷媒温度は低下する。このため、温度センサ群２０が正常に装着されている場合は、第１時間経過時に室内熱交換器３３の経路中間に配される温度センサ２０ｆの検知温度Ｔｆが冷媒流出側の温度センサ２０ｅの検知温度Ｔｅよりも高くなる。
【００４５】
ステップ♯１４では温度センサ２０ｆの検知温度Ｔｆが温度センサ２０ｅの検知温度Ｔｅよりも低いか否かを判断する。検知温度Ｔｆが検知温度Ｔｅよりも低い場合は温度センサ２０ｅと温度センサ２０ｆとが取り違えて誤装着されていると判定してステップ♯１５に移行する。また、検知温度Ｔｆが検知温度Ｔｅよりも高い場合は温度センサ２０ｅと温度センサ２０ｆとが正常に装着されていると判定してステップ♯１６に移行する。
【００４６】
ステップ♯１５では温度センサ２０ｅと温度センサ２０ｆとで検知される温度を入れ替えて認識する補正を記憶部４２に記憶する。これにより、温度センサ２０ｅの検知温度Ｔｅは室内熱交換器３３の経路中間の冷媒の温度として認識される。また、温度センサ２０ｆの検知温度Ｔｆは室内熱交換器３３の膨張弁１４側の冷媒の温度として認識される。
【００４７】
次に、ステップ♯１６では圧縮機１２の駆動が停止される。ステップ♯１７では不揮発性の記憶部４２にフラグＦに１を記憶して判定モードプログラムを終了する。これにより、次回空気調和機１の通電時に記憶装置の情報に基づいて判定モードが立ち上がらずに空調運転モードが立ち上がる。
【００４８】
本実施形態によると、判定モード時に暖房運転し、圧縮機１２の駆動開始から第１時間経過時に室内熱交換器３３の経路中間に配される温度センサ２０ｆ（第１温度センサ）の検知温度Ｔｆが室内熱交換器３３の膨張弁１４側に配される温度センサ２０ｅ（第２温度センサ）の検知温度Ｔｅよりも低いときに誤装着と判定する。暖房運転時に圧縮機１２から吐出された高温高圧気体の冷媒は室内熱交換器３３に入り、外気との熱交換により温度低下して室内熱交換器３３の外部に流出する。
【００４９】
このため、判定モードにより圧縮機１２の駆動開始から第１時間経過時の温度センサ２０ｆ及び温度センサ２０ｅの検知温度を比較して誤装着を容易に判定することができる。これにより、判定モードの判定結果に基づいて温度センサ群２０の誤装着に基づく制御を行い、空気調和機１の異常運転を防止することができる。
【００５０】
また、判定モードにより温度センサ群２０の誤装着と判定された場合において、温度センサ２０ｆの検知温度Ｔｆと温度センサ２０ｅの検知温度Ｔｅとを入れ替えて制御を行う。これにより、設置者による温度センサ群２０の取り替え作業を省略して室内機３０の設置作業を簡易化することができる。また、温度センサ群２０が誤装着されていると判定された室内機３０を、正常の室内機３０に交換する必要がなくなり、設置効率が向上する。
【００５１】
＜第２実施形態＞
図５は第２実施形態に係る空気調和機１の動作制御を示すフローチャートである。なお、第１実施形態と同一部分は同一符号を付して説明を省略する。第１実施形態に対して第２実施形態では室外機１０に配される温度センサ２０ａの誤装着を判定する判定モードプログラムが記憶部４２に記憶されている。
【００５２】
具体的には判定モードが実行されると圧縮機１２を駆動して暖房運転が開始される。また、圧縮機１２の駆動開始から所定の第２時間経過後に温度センサ２０ａの検知温度が温度センサ２０ｂ〜２０ｄ、２０ｇの検知温度よりも低いときに圧縮機１２の駆動を停止して誤装着を報知する。
【００５３】
図５に示すように、商用電源から電力供給が開始されると記憶部４２に記憶された判定モードプログラムが実行されて以下の動作が行われる。
【００５４】
ステップ♯１２では圧縮機１２の駆動を開始して暖房運転を開始する。また、タイマーがスタートする。なお、判定モードにおいて圧縮機１２の駆動により冷房運転を開始してもよい。
【００５５】
ステップ♯１３ではタイマーの計時により所定の第２時間（本実施形態では３０分間）が経過するまで待機する。第２時間が経過するとステップ♯１４に移行する。
【００５６】
図６は暖房運転時の温度センサ２０ａ、２０ｂ、２０ｄ、２０ｇの検知温度Ｔａ、Ｔｂ、Ｔｄ、Ｔｇと圧縮機１２の駆動時間との関係を示すグラフである。縦軸は温度（単位：℃）を示し、横軸は時間（単位:秒）を示している。なお、外気温が−２５℃の環境で測定されている。
【００５７】
暖房運転時に圧縮機１２から吐出された高温高圧の気体の冷媒は外気との熱交換により温度低下しながら冷媒回路を循環して圧縮機１２に吸い込まれる。このため、温度センサ群２０が正常に装着されている場合は、第２時間経過時（例えば、３０分経過時）に圧縮機１２の温度センサ２０ａが検知する冷媒の吐出温度Ｔａが室外機１０内の他の温度センサ２０ｂ〜２０ｄ、２０ｇの検知温度Ｔｂ〜Ｔｄ、Ｔｇよりも高くなる。
【００５８】
ステップ♯１４では温度センサ２０ａの検知温度Ｔａが温度センサ２０ｂの検知温度Ｔｂよりも低いか否かを判断する。検知温度Ｔａが検知温度Ｔｂよりも低い場合は温度センサ２０ａが誤装着されていると判断してステップ♯１９に移行する。また、検知温度Ｔａが検知温度Ｔｂよりも高い場合はステップ♯１５に移行する。
【００５９】
ステップ♯１５では温度センサ２０ａの検知温度Ｔａが温度センサ２０ｃの検知温度Ｔｃよりも低いか否かを判断する。検知温度Ｔａが検知温度Ｔｃよりも低い場合は温度センサ２０ａが誤装着されていると判断してステップ♯１９に移行する。また、検知温度Ｔａが検知温度Ｔｃよりも高い場合はステップ♯１６に移行する。
【００６０】
ステップ♯１６では温度センサ２０ａの検知温度Ｔａが温度センサ２０ｄの検知温度Ｔｄよりも低いか否かを判断する。検知温度Ｔａが検知温度Ｔｄよりも低い場合は温度センサ２０ａが誤装着されていると判断してステップ♯１９に移行する。また、検知温度Ｔａが検知温度Ｔｄよりも高い場合はステップ♯１７に移行する。
【００６１】
ステップ♯１７では温度センサ２０ａの検知温度Ｔａが温度センサ２０ｇの検知温度Ｔｇよりも低いか否かを判断する。検知温度Ｔａが検知温度Ｔｇよりも低い場合は温度センサ２０ａが誤装着されていると判断してステップ♯１９に移行する。また、検知温度Ｔａが検知温度Ｔｇよりも高い場合は温度センサ２０ａが正常に装着されていると判断してステップ♯１８に移行する。
【００６２】
ステップ♯１８では記憶部４２にフラグＦに１が記憶されて判定モードプログラムを終了する。これにより、次回空気調和機１の通電時に記憶装置の情報に基づいて判定モードが立ち上がらずに空調運転モードが立ち上がる。
【００６３】
一方、温度センサ２０ａが誤装着されていると判断した場合、ステップ♯１９に移行して圧縮機１２の駆動を停止後、ステップ♯２０に移行する。
【００６４】
ステップ♯２０では温度センサ２０ａの誤装着を報知して判定モードプログラムを終了する。誤装着の報知は例えば、リモコン（不図示）の表示部（不図示）に表示して行う。これにより、設置者は温度センサ群２０の装着をやり直し、誤装着の修正を行う。
【００６５】
なお、ステップ♯２０に移行した場合、フラグＦに０が記憶された状態で判定モードプログラムを終了する。このため、次回空気調和機１の通電時に記憶装置の情報に基づいて判定モードが立ち上がり、再び温度センサ２０ａの誤装着が判定される。これにより、設置者により温度センサ群２０が正常に装着されたか否かを判断することができる。
【００６６】
本実施形態によると、判定モード時に、圧縮機１２の駆動開始から第２時間経過時に温度センサ２０ａ（第３温度センサ）の検知温度Ｔａが温度センサ２０ｂ、温度センサ２０ｃ（第４温度センサ）、温度センサ２０ｄ（第５温度センサ）、温度センサ２０ｇ（第６温度センサ）の検知温度よりも低いときに誤装着と判定する。
【００６７】
冷媒温度は圧縮機１２の吐出側で最も高いため、判定モードにより圧縮機１２の駆動開始から第２時間経過時の温度センサ２０ａと温度センサ２０ｂ、２０ｃ、２０ｄ、２０ｇの検知温度を比較して誤装着を容易に判定することができる。これにより、判定モードの判定結果に基づいて温度センサ２０ａの誤装着の修正を行い、空気調和機１の異常運転を防止することができる。
【００６８】
また、判定モードにより温度センサ群２０の誤装着と判定された場合において、圧縮機１２の駆動を停止することにより、圧縮機１２の温度上昇による故障を防止することができる。
【００６９】
また、判定モードにより温度センサ群２０の誤装着と判定された場合において、次回通電時に判定モードを実行する。これにより、設置者により温度センサ群２０が正常に装着されたか否かを判断することができる。
【００７０】
＜第３実施形態＞
図７は第３実施形態に係る空気調和機１の動作制御を示すフローチャートである。なお、第２実施形態と同一部分は同一符号を付して説明を省略する。第２実施形態に対して第３実施形態では判定モードにおいて、温度センサ２０ｂ、２０ｃ、２０ｄ、２０ｇのいずれかの検知温度が１００℃以上の場合、温度センサ２０ａの誤装着と判定する。
【００７１】
具体的には、ステップ♯１３では所定の第２時間が経過するまで待機し、第２時間が経過するとステップ♯１４に移行する。なお、第２時間は暖房運転を開始後、圧縮機１２から吐出される高温高圧の気体の冷媒が１００℃以上に上昇するのに十分な時間が設定される。
【００７２】
ステップ♯１４では温度センサ２０ｂ、２０ｃ、２０ｄ、２０ｇのいずれかの検知温度Ｔｂ、Ｔｃ、Ｔｄ、Ｔｇが所定温度Ｔｍ（例えば、１００℃）以上であるか否かを判断する。検知温度Ｔｂ、Ｔｃ、Ｔｄ、ＴｇがＴｍ以上の場合、温度センサ２０ａと温度センサ２０ｂとが取り違えて誤装着されていると判断してステップ♯１９に移行して圧縮機１２の駆動を停止する。また、検知温度ＴｂがＴｍ未満の場合、ステップ♯１５に移行する。
【００７３】
ステップ♯１５では温度センサ２０ａの検知温度Ｔａが所定温度Ｔｎ℃（例えば、１００℃）以上になるまで待機する。検知温度ＴａがＴｎ以上に到達すると、ステップ♯１６に移行してタイマーをスタートする。
【００７４】
ステップ♯１６ではタイマーの計時により所定の第３時間（例えば、３分間）が経過するまで待機する。第３時間が経過すると、ステップ♯１７に移行する。なお、第３時間とは暖房運転を開始後、圧縮機１２の動作が安定した後の時間であり、温度センサ２０ａの検知温度Ｔａが例えば１００℃以上に到達すると圧縮機１２が故障するのを防止するため、制御部４０は圧縮機１２の回転数（運転周波数）を下げたり、膨張弁１４の開度を上げて検知温度Ｔａが１００℃未満になるように制御する。
【００７５】
このため、温度センサが正常に装着されている場合は、第３時間経過時に圧縮機１２の温度センサ２０ａが検知する冷媒の吐出温度Ｔａは所定温度Ｔｐ℃（例えば、１００℃）未満に制御される。
【００７６】
ステップ♯１７では温度センサ２０ａの検知温度ＴａがＴｐ（例えば、１００℃）以上であるか否かを判断する。検知温度ＴａがＴｐ以上の場合、圧縮機１２の吐出温度を調整する制御が実行されておらず、温度センサ２０ａが誤装着されていると判断してステップ♯１９に移行して圧縮機１２の駆動を停止する。
【００７７】
本実施形態によると、判定モードにおいて、圧縮機１２の駆動開始から所定の第２時間経過時に温度センサ２０ｃ（第４センサ）、温度センサ２０ｄ（第５センサ）、温度センサ２０ｇ（第６センサ）の検知温度が所定温度Ｔｍ（例えば、１００℃）以上の場合に温度センサ２０ａの誤装着と判断する。これにより、温度センサ２０ａの誤装着を容易に判定することができる。また、判定モードの判定結果に基づいて温度センサ２０ａの誤装着を修正することができ、空気調和機１の異常運転を防止することができる。
【００７８】
また、判定モードは温度センサ２０ａ（第３センサ）の検知温度が所定温度Ｔｎ（例えば、１００℃）以上の場合に、温度Ｔｎ以上の温度を検知してから所定の第３時間経過時に温度センサ２０ａの検知温度が所定温度Ｔｐ（例えば、１００℃）以上あるときに温度センサ２０ａが誤装着されていることをより正確に判定することができる。これにより、判定モードの判定結果に基づいて温度センサ２０ａの誤装着の修正を行い、圧縮機１２の温度上昇による空気調和機１の故障を防止することができる。
【００７９】
なお、第１実施形態と第２、第３実施形態の判定モードを組み合わせて室内機３０及び室外機１０の温度センサの誤装着を判定してもよい。
【００８０】
また、第１〜第３実施形態では空気調和機１に通電後から判定モードに移行しているが、通電後にリモコン（付図示）の判定モード投入操作により判定モードに移行させてもよい。あるいは、室内機３０に設けられている応急運転ボタン（不図示）を押圧することで、判定モードに移行させるようにしてもよい。
【００８１】
この場合、記憶部４２には判定モード投入操作が予め記憶されており、判定モード投入操作は使用者が誤って設定しないように暖房運転及び冷房運転の操作とは異なる複雑な操作が設定される。例えば、リモコン（不図示）の除湿ボタンを５秒以上押下する操作等が割り当てられる。
【００８２】
以上、本発明の実施形態につき説明したが、本発明の範囲はこれに限定されるものではなく、発明の主旨を逸脱しない範囲で種々の変更を加えて実施することができる。また、本発明の実施形態のうちいくつか或いはすべてを組み合わせて用いてもよい。
【産業上の利用可能性】
【００８３】
本発明によると、冷房運転及び暖房運転を行う空気調和機に利用することができる。
【符号の説明】
【００８４】
１    空気調和機
１０    室外機
１２    圧縮機
１３    四方弁
１４    膨張弁
１５    室外ファン
１６    室外熱交換器
１９    冷媒管
２０    温度センサ群
２０ａ〜２０g    温度センサ
２１    二方弁
２２    三方弁
３０    室内機
３２    室内ファン
３３    室内熱交換器
４０    制御部
４１    受信部
４２    記憶部
【図１】
2018096640.tif 000003
【図２】
2018096640.tif 000004
【図３】
2018096640.tif 000005
【図４】
2018096640.tif 000006
【図５】
2018096640.tif 000007
【図６】
2018096640.tif 000008
【図７】
2018096640.tif 000009